【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
フライハイト値を計算する回路であって、
受信したデータセット内の第１のパターンを識別するように動作可能な第１パターン検出器回路であって、前記受信したデータセットは第１のサーボデータ領域と第２のサーボデータ領域との間に配置されたユーザーデータに対応する、第１パターン検出器回路と、
前記第１のパターンに対応するデータ値を用いて第１のフライハイトを計算し、第１パターンフライハイト出力を得るように動作可能な第１パターンフライハイト計算回路と、
前記第１パターンフライハイト出力を前記第１のフライハイト出力の他のインスタンスで平均化し、第１の平均化された出力を得るように動作可能な第１の平均化回路と、
前記受信したデータセット内の第２のパターンを識別するように動作可能な第２パターン検出器回路と、
前記第２のパターンに対応するデータ値を用いて第２のフライハイトを計算して第２パターンフライハイト出力を得るように動作可能な第２パターンフライハイト計算回路と、
前記第２パターンフライハイト出力を前記第２パターンフライハイト出力の他のインスタンスで平均化し、第２の平均化された出力を得るように動作可能な第２の平均化回路と、
少なくとも前記第１の平均化された出力及び前記第２の平均化された出力を結合して複合フライハイト値を得るように動作可能な結合回路とを備える、フライハイト値を計算する回路。
【請求項２】
前記第１のパターンは第１の周期的パターンであり、前記第２のパターンは第２の周期的パターンである、請求項１に記載の回路。
【請求項３】
前記第１のパターンは、ユーザーデータ領域内の同期マークパターン、プリアンブルパターン、セクター終了パターン、及び所定のパターンからなる群から選択される、請求項１に記載の回路。
【請求項４】
前記第２のパターンは、ユーザーデータ領域内の同期マークパターン、プリアンブルパターン、セクター終了パターン、及び所定のパターンからなる群から選択される、請求項１に記載の回路。
【請求項５】
前記結合回路は、前記少なくとも前記第１の平均化された出力及び前記第２の平均化された出力を１に正規化するように動作可能である、請求項１〜４の何れかに記載の回路。
【請求項６】
前記結合回路は、
前記第１の平均化された出力に第１の重み係数を乗算して第１の加重値を得て、
前記第２の平均化された出力に第２の重み係数を乗算して第２の加重値を得て、
少なくとも前記第１の加重値及び前記第２の加重値を合算して前記複合フライハイト値を得るように動作可能である、請求項１〜４の何れかに記載の回路。
【請求項７】
前記回路は集積回路の一部として実装される、請求項１〜６の何れかに記載の回路。
【請求項８】
前記回路はストレージデバイスの一部として実装される、請求項１〜６の何れかに記載の回路。
【請求項９】
前記第１のパターンは同期パターンであり、前記第２のパターンはセクター終了パターンである、請求項１に記載の回路。
【請求項１０】
前記受信したデータセット内のプリアンブルパターンを識別するように動作可能なプリアンブルパターン検出器回路と、
前記プリアンブルパターンに対応するデータ値を用いて第３のフライハイトを計算し、第３パターンフライハイト出力を得るように動作可能な第３パターンフライハイト計算回路と、
前記第３パターンフライハイト出力を前記第３のフライハイト出力の他のインスタンスで平均化して第３の平均化された出力を得るように動作可能な第３の平均化回路とを更に備え、
前記結合回路は、少なくとも前記第１の平均化された出力、前記第２の平均化された出力、及び前記第３の平均化された出力を結合して前記複合フライハイト値を得るように更に動作可能である、請求項９に記載の回路。
【請求項１１】
受信したデータセット内の所定のパターンを識別するように動作可能なユーザーデータ領域内所定パターン検出器回路と、
前記所定のパターンに対応するデータ値を用いて第３のフライハイトを計算し、第３パターンフライハイト出力を得るように動作可能な第３パターンフライハイト計算回路と、
前記第３パターンフライハイト出力を前記第３のフライハイト出力の他のインスタンスで平均化して第３の平均化された出力を得るように動作可能な第３の平均化回路とを更に備え、
前記結合回路は、少なくとも前記第１の平均化された出力、前記第２の平均化された出力、及び前記第３の平均化された出力を結合して前記複合フライハイト値を得るように更に動作可能である、請求項９に記載の回路。
【請求項１２】
前記所定のパターンを受信及び格納するように動作可能なプログラムされたユーザーデータメモリを更に備える、請求項１１に記載の回路。
【請求項１３】
フライハイト変更の方法であって、
データセットを受信し、前記データセットはヘッド機構を介してストレージ媒体から取り出され、前記データセットは第１のサーボデータ領域と第２のサーボデータ領域との間に配置されたユーザーデータに対応し、
前記受信したデータセット内の第１のパターンを識別し、
第１パターンフライハイト出力を得るために、前記第１のパターンに対応するデータ値を用いて第１のフライハイトを計算し、
第１の平均化された出力を得るために、前記第１パターンフライハイト出力を前記第１のフライハイト出力の他のインスタンスで平均化し、
前記受信したデータセット内の第２のパターンを識別し、
第２パターンフライハイト出力を得るために、前記第２のパターンに対応するデータ値を用いて第２のフライハイトを計算し、
第２の平均化された出力を得るために、前記第２パターンフライハイト出力を前記第２のフライハイト出力の他のインスタンスで平均化し、
複合フライハイト値を得るために、少なくとも前記第１の平均化された出力及び前記第２の平均化された出力を結合し、
少なくとも部分的に前記複合フライハイト値に基づいて前記ヘッド機構と前記ストレージ媒体との間の距離を変更することを含む、フライハイト変更の方法。
【請求項１４】
前記第１のパターンは、ユーザーデータ領域内の同期マークパターン、プリアンブルパターン、セクター終了パターン、及び所定のパターンからなる群から選択される、請求項１３に記載の方法。
【請求項１５】
前記第２のパターンは、ユーザーデータ領域内の同期マークパターン、プリアンブルパターン、セクター終了パターン、及び所定のパターンからなる群から選択される、請求項１３に記載の方法。
【請求項１６】
前記複合フライハイト値を得るために、少なくとも前記第１の平均化された出力及び前記第２の平均化された出力を結合することは、前記少なくとも前記第１の平均化された出力及び前記第２の平均化された出力を１に正規化することを含む、請求項１３〜１５の何れかに記載の方法。
【請求項１７】
前記複合フライハイト値を得るために、少なくとも前記第１の平均化された出力及び前記第２の平均化された出力を結合することは、
第１の加重値を得るために、前記第１の平均化された出力に第１の重み係数を乗算し、
第２の加重値を得るために、前記第２の平均化された出力に第２の重み係数を乗算し、
少なくとも前記第１の加重値及び前記第２の加重値を合算して、前記複合フライハイト値を得ること
を含む、請求項１３〜１５の何れかに記載の方法。
【請求項１８】
前記少なくとも部分的に前記複合フライハイト値に基づいて前記ヘッド機構と前記ストレージ媒体との間の距離を変更することは、ユーザーデータの各セクターを処理した後に行われる、請求項１３〜１７の何れかに記載の方法。
【請求項１９】
ストレージデバイスであって、
第１のサーボデータ領域、第２のサーボデータ領域、及び前記第１のサーボデータ領域と前記第２のサーボデータ領域との間に配置されたユーザーデータ領域を備えるストレージ媒体と、
前記ストレージ媒体に対して配置され、前記ユーザーデータ領域に対応する電気信号を与えるように動作可能な読取り／書込みヘッド機構と、
前記電気信号から取り出したものを前記ユーザーデータ領域に対応するデータセットに変換するように動作可能なアナログ／デジタル変換器回路と、
前記データセット内の第１のパターンを識別するように動作可能な第１パターン検出器回路と、
前記第１のパターンに対応するデータ値を用いて第１のフライハイトを計算し、第１パターンフライハイト出力を得るように動作可能な第１パターンフライハイト計算回路と、
前記第１パターンフライハイト出力を前記第１のフライハイト出力の他のインスタンスで平均化して第１の平均化された出力を得るように動作可能な第１の平均化回路と、
前記受信したデータセット内の第２のパターンを識別するように動作可能な第２パターン検出器回路と、
前記第２のパターンに対応するデータ値を用いて第２のフライハイトを計算し、第２パターンフライハイト出力を得るように動作可能な第２パターンフライハイト計算回路と、
前記第２パターンフライハイト出力を前記第２パターンフライハイト出力の他のインスタンスで平均化して第２の平均化された出力を得るように動作可能な第２の平均化回路と、
少なくとも前記第１の平均化された出力及び前記第２の平均化された出力を結合して複合フライハイト値を得るように動作可能な結合回路と、
少なくとも部分的に前記複合フライハイト値に基づいて前記読取り／書込みヘッド機構と前記ストレージ媒体との間の距離を変更するように動作可能なフライハイト調整回路とを備える、ストレージデバイス。
【請求項２０】
前記第１のパターンは、ユーザーデータ領域内の同期マークパターン、プリアンブルパターン、セクター終了パターン、及び所定のパターンからなる群から選択される、請求項１９に記載のストレージデバイス。